(57)【特許請求の範囲】
【請求項１】
圧縮空気装置(1)が、主として、いわゆる'負荷/無負荷'圧縮機(2)タイプ、および／またはターボ圧縮機(3)タイプ、および／または可変回転速度圧縮機(4)タイプの二つ以上の電動圧縮機(2、3、4)から成り、これらの圧縮機(2、3、4)がそれぞれこれらの圧縮機の出口(5、6、7)によって単一の圧縮空気ネットワーク(8)に接続されており、また各圧縮機(2、3、4)が一つ以上の制御ユニット(11、12、15、19、20、22、26、34、35)を備えている、複数の圧縮機を備えた圧縮空気装置を調節する方法であって、
前記圧縮空気ネットワーク(8)の圧力センサー(32)が接続されている制御ボックス(28)を使用し、
該制御ボックス(28)が、前記圧縮空気ネットワーク(8)内の圧力(P)を、設定される目標圧力(PS)のまわりに、設定される最小圧力(PMIN)と設定される最大圧力(PMAX)とによって限られる圧力範囲内で、調節することを可能にし、
前記調節が、前記圧縮機(2、3、4)のうち一つ以上のものの流量(Q)を調節して、特に、圧力低下が大きすぎるときには圧縮機(2、3、4)によって供給される総流量を増大させ、また圧力が大きくなりすぎたときには供給される総流量を低下させるようにすることによってなされ、
圧縮空気装置(1)の各圧縮機(2、3、4)または各圧縮機タイプに対して、評価テーブルがあらかじめ制御ボックス(28)のメモリに記憶され、このとき、当該圧縮機(2、3、4)の各動作条件に関して、当該制御命令の影響が評価され、またこのとき、当該圧縮機の各制御命令に対して、点数が与えられ、該点数が、前記命令の影響が圧縮空気装置(1)の出力に対して好ましい場合には正であり、また前記影響が好ましくない場合には負であり、これらの点数の絶対値が、好ましい影響または好ましくない影響が大きいほど、大きくなり、
圧縮空気装置(1)が動作しているとき、もっとも好ましい点数の制御命令を選択するために、圧縮空気ネットワーク(8)内の圧力(P)を設定目標圧力(PS)のより近くにもってくるために総流量を必要な向きに変化させることのできるすべての正の制御命令の点数を、定期的または連続的に一つのアルゴリズムによって相互比較することができ、この比較のあと、得られた最高点数を有する制御命令を実行することができる、
ことを特徴とする方法。
【請求項２】
制御ボックス(28)が、圧縮機の当該制御ユニット(11、12、15、19、20、22、26、34、35)に対して少なくとも一つの制御命令を与えることによって、圧縮空気装置(1)の総流量を制御し、前記制御命令が、特に、一つ以上の圧縮機(2、3、4)の始動および/または停止、一つ以上の圧縮機の制御される入口弁(11、19)の開放および/または閉鎖、一つ以上の圧縮機(2、3、4)の排気弁(12、20)のある程度の開放または閉鎖、ならびに一つ以上の圧縮機(2、3、4)の回転速度の調節、から成るものとすることができる、ことを特徴とする請求項１に記載の方法。
【請求項３】
圧縮空気ネットワーク(8)内の圧力(P)が設定目標圧力(PS)を上回った場合に、制御ボックス(28)が、設定最大圧力(PMAX)に達する前までのある長さの時間、総流量を増大させ、また、圧縮空気ネットワーク(8)内の圧力(P)が設定目標圧力(PS)を下回った場合に、制御ボックス(28)が、設定最小圧力(PMIX)に達する前までのある長さの時間、総流量を減少させることを含むことを特徴とする請求項１または２に記載の方法。
【請求項４】
もっとも好ましい制御命令を選択するとき、当該アルゴリズムが、総流量を必要な向きに変化させることのできる一つ以上の圧縮機(2、3、4)の複合制御命令の総点数をも考慮し、それによって、そのあとこの制御命令または複合制御命令が最大点数に関して実行されることを特徴とする請求項１から３の中のいずれか１つに記載の方法。
【請求項５】
もっとも好ましい制御命令を選択するために、制御命令の当該点数が、供給流量と当該制御命令を実行したと仮定したときの必要流量との間の差に等しい値だけ増大させられ、このとき前記値には、前記差が正の場合にこの差が負の場合よりも絶対値が大きい負の重み係数がかけられることを特徴とする請求項１から４の中のいずれか１つに記載の方法。
【請求項６】
もっとも好ましい制御命令を選択するために、制御命令の当該点数が、当該制御命令実行前の供給流量と当該制御命令実行後に供給されると考えられる流量との間の差に等しい値だけ増大させられ、このとき前記値には負の重み係数がかけられることを特徴とする請求項１から５の中のいずれか１つに記載の方法。
【請求項７】
すべての圧縮機(2、3、4)に関して均一な摩耗が必要な場合、当該点数に対して、当該圧縮機(2、3、4)の稼働時間数に等しい値が加えられ、このとき該値に負の重み係数がかけられることを特徴とする請求項１から６の中のいずれか１つに記載の方法。
【請求項８】
圧縮機(2、3、4)の始動に強制的な優先順位が必要な場合、始動優先権が前記圧縮機に与えられ、優先値が負の重み係数をかけたあと当該点数に加えられることを特徴とする請求項１から７の中のいずれか１つに記載の方法。
【請求項９】
ある圧縮機(2、3、4)に対して低い選択優先順位が必要な場合、前記圧縮機の当該点数に優先順位が低いほど大きい正の値を加えることを特徴とする請求項１から８の中のいずれか１つに記載の方法。
【請求項１０】
請求項１から９の中のいずれか１つに記載の方法によって一つ以上の圧縮機(2、3、4)を備えた圧縮空気装置を調節する制御ボックスであって、主として、
前記制御ボックス(28)の接続のための、圧縮機(2、3、4)の一つ以上の制御ユニット(11、12、15、19、20、22、26、34、35)に対する接続導線と圧縮空気装置(1)の圧力センサー(32)と、
使用者が入力する点数を含む評価テーブルを記憶させることのできるメモリ(29)と、
前記点数を比較して、選択した最大点数の関数として制御命令を与えることを可能にするアルゴリズムを使用する演算装置(30)と、
を備えていることを特徴とする制御ボックス。
【請求項１１】
請求項１から９の中のいずれか１つに記載の方法を使用する圧縮空気装置であって、
主として、いわゆる'負荷/無負荷'タイプの一つ以上の圧縮機(2)、ターボ圧縮機タイプの一つ以上の圧縮機(3)、可変回転速度タイプの一つ以上の圧縮機(4)から成り、これらの圧縮機(2、3、4)がそれぞれこれらの圧縮機の出口(5、6、7)によって単一の圧縮空気ネットワーク(8)に接続されており、また各圧縮機(2、3、4)が一つ以上の制御ユニット(11、12、15、19、20、22、26、34、35)、圧力センサー(32)、さらに前記制御ユニットのうち一つ以上および前記圧力センサー(32)に接続されている制御ボックス(28)を備えている、
ことを特徴とする圧縮空気装置。
【発明の詳細な説明】
【技術分野】
【０００１】
本発明は、複数の圧縮機を備えた圧縮空気装置を制御する方法に関する。
【背景技術】
【０００２】
複数の圧縮機を備えたそのような圧縮空気装置は既知であり、そのような装置においては、高々一つまたは二つのタイプの圧縮機が組み合わされ、これらの圧縮機はそのそれぞれの出口によって単一の圧縮空気ネットワークに接続され、またそれぞれ異なる切り換え圧力で直列にオン・オフされ、複数の圧縮機が同時にオン・オフ切り換えされて圧縮空気ネットワーク内での大きな変動が起こることがないようになっている。
【０００３】
複数の圧縮機を備えた圧縮空気装置の圧縮機を制御するそのような方法は、圧縮空気ネットワーク内の総流量と圧力とがそのようにしてもやはり大きく変動しうるという点で不利である。
【０００４】
関連のある欠点は、圧縮空気ネットワーク内の大きな圧力変動のため、平均圧力が必要最低圧力に比して割合に大きく、その結果、圧縮空気ネットワークにおける大きなエネルギー消費と大きな漏れ損失とが生じる。
【０００５】
この公知の方法のもう一つの欠点は、前記制御が各個別圧縮機の最適動作条件を考慮しておらず、また圧縮機が、相対的にずっと大きなエネルギーを消費し、ずっと急速に摩耗する、最適動作領域の外で、動作することが多い、ということである。
【０００６】
もう一つの欠点は、いちいち圧縮機をオン・オフすることにより、当該圧縮機のエネルギー消費と寿命期間とに対して不利に作用するということである。
【０００７】
さらにもう一つの欠点は、前記の方法は、単一の圧縮空気装置で二つよりも多くのタイプの圧縮機を組み合わせて使用するのに不適であるということである。
【発明の開示】
【発明が解決しようとする課題】
【０００８】
本発明の目的は、一つの方法によって、前記その他の欠点に対する解決策を提供することである。この方法により、一つ、二つ、または三つのタイプの圧縮機を備えた圧縮空気装置を制御して、設定最小圧力と設定最大圧力との間の非常に狭い範囲で、平均設定値のまわりに、圧力調節を行い、前記平均圧力が前記最小圧力の割合に近くに定められ、当該圧縮空気装置のエネルギー消費と空気の漏れ損失とに有利になるようにすることができる。
【課題を解決するための手段】
【０００９】
この目的に対応して、本発明は、
圧縮空気装置が、主として、いわゆる‘負荷/無負荷’(loaded/unloaded)圧縮機タイプ、および／またはターボ圧縮機タイプ、および／または可変回転速度圧縮機タイプの二つ以上の電動圧縮機から成り、これらの圧縮機がこれらの圧縮機の出口によって単一の圧縮空気ネットワークに接続されており、また各圧縮機が一つ以上の制御ユニットを備えている、複数の圧縮機を備えた圧縮空気装置を調節する方法であって、
前記圧縮空気ネットワークの圧力センサーが接続されている制御ボックスを使用し、
該制御ボックスが、前記圧縮空気ネットワーク内の圧力を、設定される目標圧力のまわりに、設定される最小圧力と設定される最大圧力とによって限られる圧力範囲内で、調節することを可能にし、
前記調節が、前記圧縮機のうち一つ以上のものの流量を調節して、特に、圧力低下が大きすぎるときには圧縮機によって供給される総流量を増大させ、また圧力が大きくなりすぎたときには供給される総流量を低下させるようにすることによってなされる、
ことを特徴とする方法、
に関する。
【００１０】
好ましくは、圧縮空気装置の各圧縮機または各圧縮機タイプに対して、評価テーブルがあらかじめ制御ボックスのメモリに記憶され、このとき、当該圧縮機の各動作条件に関して、前記制御命令の影響が評価され、またこのとき、当該圧縮機の各制御命令に対して、点数が与えられ、該点数が、前記命令の影響が圧縮空気装置の出力に対して好ましい場合には正であり、また前記影響が好ましくない場合には負であり、これらの点数の絶対値は、好ましい影響または好ましくない影響が大きいほど、大きくなる。
【００１１】
このやり方においては、前記評価テーブルにもとづいて、圧縮空気装置の出力に関して、任意の時点でどの制御命令が最大点数を有するかを確認することが可能であり、またアルゴリズムによりこの最善点数を決定し、かつ制御ボックスによって対応する制御命令が実行されるようにすることが可能である。
【００１２】
本発明は、また、
本発明の方法によって一つ以上の圧縮機を備えた圧縮空気装置を調節する制御ボックスであって、主として、
圧縮機の一つ以上の制御ユニットに対する接続導線と圧縮空気装置の圧力センサーと、
使用者が入力する点数を含む評価テーブルを記憶させることのできるメモリと、
前記点数を比較して、選択した最大点数の関数として制御命令を与えることを可能にするアルゴリズムを使用する演算装置と、
を備えていることを特徴とする制御ボックス、
に関する。
【００１３】
さらに、本発明は、本発明の方法を使用する圧縮空気装置であって、
主として、いわゆる‘負荷/無負荷’タイプの一つ以上の圧縮機、ターボ圧縮機タイプの一つ以上の圧縮機、可変回転速度タイプの一つ以上の圧縮機から成り、これらの圧縮機がそれぞれこれらの圧縮機の出口によって単一の圧縮空気ネットワークに接続されており、また各圧縮機が一つ以上の制御ユニット、圧力センサー、さらに前記制御ユニットのうち一つ以上および前記圧力センサーに接続されている制御ボックスを備えている、
ことを特徴とする圧縮空気装置、
に関する。
【発明の効果】
【００１４】
三つの異なるタイプの圧縮機を備えた前記圧縮空気装置は、圧力と出力を非常に精密に調節できるという利点を有する。
【発明を実施するための最良の形態】
【００１５】
以下、本発明の特徴をさらに十分に説明するために、添付の図面を参照しつつ、本発明の圧縮空気装置の好ましい二つの実施形態と本発明の方法の好ましい使用とについて、述べる。これらの実施形態は単なる例であり、本発明を限定するものではない。
【００１６】
図１には、三つの異なる圧縮機を備えた圧縮空気装置1を例として示す。この装置は、‘負荷/無負荷’タイプの第一の圧縮機2、ターボタイプの第二の圧縮機3、および可変回転速度タイプの第三の圧縮機4を備え、ここで、これらの圧縮機はそれぞれの出口5、6、7によって単一の圧縮空気ネットワーク8に接続されている。
【００１７】
この場合、‘負荷/無負荷’タイプの第一の圧縮機2は、電動機10に連結された圧縮機要素9を有する。
【００１８】
圧縮機要素9の入口は、開放位置と閉鎖位置とを有する制御される入口弁11を備え、一方、制御される排気弁12が排気管5に備えられ、この排気弁は周囲大気に向って開かれた出口13を有している。
【００１９】
電動機10、入口弁11、および排気弁12は、導線14によって制御要素15に接続されており、この制御要素は、この圧縮機が負荷または無負荷状態で動作するようにするために、電動機10の始動および停止、入口弁11の開放と閉鎖、および排気弁12の特定位置への配置のための制御命令を与えることができる。
【００２０】
この圧縮機2は、三つの可能な動作モード、すなわち停止、負荷、および無負荷動作モードを有する。
【００２１】
制御要素15は、いくつかのプローブとメーターからいくつかの信号16を受信する。これらのプローブとメーターは、簡明なように、図には示さないが、たとえば、回転速度、電動機10が消費する電力、出口5における圧力と温度、その他を測定する。
【００２２】
ターボタイプの圧縮機3は、電動機18に連結された圧縮機要素17を有する。
【００２３】
圧縮機3の入口には、開放位置と閉鎖位置とを有する制御される入口弁19が備えられ、また周囲大気に向って開かれた自由出口21を有する排気弁20が出口6に備えてある。
【００２４】
圧縮機3には、導線14によって、電動機18ならびに入口弁19および排気弁17に電気的に接続された制御要素22が備えられ、この制御要素22は、電動機18の始動および停止、入口弁19の開放と閉鎖、および排気弁20の特定位置への配置のための必要制御命令を与えることができる。
【００２５】
図２は、前記圧縮機3の動作曲線を示し、該曲線は、いわゆる消費率SE、すなわち単位量の供給空気エネルギーあたりの消費エネルギーを、供給空気流量Qの関数として示す。
【００２６】
消費率SEが小さいほど、圧縮機の出力は高効率である。
【００２７】
図２から明らかなように、圧縮機3は両端の動作点AとBとの間で動作することができる。ここで、この動作領域A〜Bの左端においては、排気弁20が開き、またこの動作領域A〜Bの内部においては、流れが入口弁19の位置によって決定される。
【００２８】
制御要素15の場合と同様に、制御要素22には、圧縮機3の回転速度、消費エネルギー、その他に関するいくつかの測定信号23が送られる。
【００２９】
可変速度タイプの圧縮機4は、電動機25に連結された圧縮機要素24を有し、電動機25は導線14によって制御要素26に接続されており、該制御要素は、たとえば周波数制御器を備えていて、電動機25の回転速度を連続的に調節することができ、また電動機の始動および停止を行わせることができるようになっている。
【００３０】
図３は、この圧縮機4の動作曲線を示し、この曲線においては、点CとDとの間に動作領域があり、ここで、この領域C〜Dの内部の動作点は、電動機25の回転速度を制御することによって得ることができる。
【００３１】
実際には、目標は、この圧縮機を中央動作領域E〜Fで動作させることである。この領域においては、消費率が最低で、どんな場合でも、有利さの小さな動作領域C〜EおよびF〜Dにおけるよりもずっと小さい。
【００３２】
制御要素26は、いくつかの測定信号27、たとえば電動機25の回転速度、消費エネルギー、その他を受信する。
【００３３】
圧縮空気装置1は、さらに、本発明の制御ボックス28を備えており、ここで、この制御ボックス28は、電気導線、ローカルエリアネットワーク(LAN)による接続、無線接続、その他で実現できる接続33によって前記制御要素15、22、および26に接続されている。
【００３４】
制御ボックス28はメモリ29と演算装置30とを有し、この場合、コンピュータ31その他に接続されていて、ここで、このコンピュータ31は、直接に、または通信ネットワークたとえばインターネットその他によって接続することができる。
【００３５】
圧縮空気ネットワーク8には、圧力センサー32が備えられ、該センサーは前記接続33によって制御ボックス28に接続されている。
【００３６】
以下、本発明の方法を、いくつかの仮の実施形態に関して説明する。
【００３７】
圧縮空気装置1を始動させると、圧縮機2、3、4のすべての前記制御命令に関して、評価テーブルが確定され、それによって、すべてまたはいくつかの動作状態に対して、前記制御命令が圧縮空気装置1の出力したがってエネルギー消費に及ぼす影響の尺度となる点数が与えられる。ここで、たとえば、正の点数は好ましい影響の場合に与えられ、負の点数は好ましくない影響の場合に与えられ、また点数は影響が大きいほど大きい。
【００３８】
圧縮機2、3、4の始動に関するそのような点数は、下記のようである。
-‘負荷/無負荷’タイプの圧縮機2の始動の場合、点数-50
-ターボタイプ圧縮機3の始動の場合、点数-40
-可変速度タイプの圧縮機4の始動の場合、点数-20
【００３９】
これらの点数はすべて負であり、これは、圧縮機の始動がいつでも出力に好ましくない影響を及ぼすことを示し、また圧縮機2の始動が圧縮機3の始動に比して好ましくない影響を及ぼし、圧縮機4の始動に比するともっと好ましくない影響を及ぼすと言うことを示す。
【００４０】
正の点数の一例は、たとえば、可変回転速度圧縮機4の動作点を図３のあまり有利でない動作領域C〜Eからもっと好ましい動作領域E〜Fに動かす制御命令に対応するものである。
【００４１】
前記評価テーブルは、圧縮機2、3、4の既知の特性にもとづいて計算されるか、または実験によって決定される。
【００４２】
このテーブルは、制御ボックス28のメモリ29に記憶される。
【００４３】
図４に示すように圧縮空気装置1が動作しているとき、圧縮空気ネットワーク8内の圧力たとえば圧力センサー32のところの圧力は、最大圧力PMAXと最小圧力PMINとによって限られる圧力範囲内にある目標圧力PSとの関係で設定される。
【００４４】
これらの圧力PS、PMAX、およびPMINは、たとえばコンピュータ31によって、制御ボックス28内に設定される。
【００４５】
制御ボックス25は、前記圧縮機2、3、4のうち一つ以上のものの流量を制御することによって、圧力Pが前記範囲内に来るように調節する。このとき、特に、圧力Ｐが低下しすぎたときには、圧縮機2、3、4によって供給される総流量を増大させ、圧力Pが上昇しすぎたときには、総供給流量を減少させる。
【００４６】
好ましくは、圧縮空気ネットワーク8内の圧力Pが設定目標圧力PSを上回ったときには、制御ボックス28は、設定最大圧力PMAXに達する前までのある長さの時間Xだけ流量を増大させる制御命令を与え、また圧縮空気ネットワーク8内の圧力が設定目標圧力PSを下回ったときには、制御ボックス28は、設定最小圧力PMINに達する前までのある長さの時間Xだけ流量を低下させる制御命令を与える。
【００４７】
このように、圧縮機2、3、4の流量を連続的に調節することによって、圧縮空気ネットワーク8内の圧力Pの非常に精密な調節が行われる。
【００４８】
流量の調節と適当な圧縮機2、3、4の選択とを最適化するために、制御ボックス28、特に演算装置30内にアルゴリズムが備えられ、このアルゴリズムは、定期的または連続的に、すべての圧縮機2、3、4のすべての制御命令の点数を比較し、それにもとづいて、目標値PSに近い圧力Pを得るのに適当な流量変化を生じさせる。
【００４９】
この比較により、前記アルゴリズムは、最高点数にもとづいてどの制御命令を実行すべきかを決定し、すべての時点において、もっとも好ましい解が選択されるようにする。
【００５０】
たとえば、圧縮機3と圧縮機4との両方の流量調節によって流量を増大させることができるとき、最高点数を有する圧縮機3、4が選択される。
【００５１】
好ましくは、もっとも好ましい制御命令を選択するとき、アルゴリズムは、総流量を必要な向きに変化させることのできる一つ以上の圧縮機2、3、4の複合制御命令の総点数をも考慮し、それから、そのようにして決められる最高点数の単一または複合制御命令を実行する。
【００５２】
このやり方では、たとえば、複合命令の場合、一つの圧縮機たとえば圧縮機2の流量が増大するが、他の圧縮機たとえば圧縮機3の流量が同時に減少して、圧力Pを目標圧力PSに近づける総合効果が得られるようにすることも考えられる。
【００５３】
もっとも好ましい制御命令を選択するために、制御命令の前記点数を、制御命令前の供給流量と制御命令後の予想供給流量との差に等しい値だけ増大させることができる。この値は、アルゴリズムが計算して、負の重み係数をかけたものである。
【００５４】
前記重み係数の値がたとえば-1である場合、流量を50単位だけ増大させる制御命令は点数-50となり、流量を30単位だけ増大させる制御命令はより好ましい点数-30となり、したがって適当な制御命令を選択するときに、その制御命令の影響の大きさも考慮されることになる。
【００５５】
好ましくは、最善の制御を選択するとき、いわゆる流量のずれをも考慮する。流量のずれというのは、供給流量とその制御命令を実行したときに予想される必要流量との差であり、制御ボックス28によって計算される。
【００５６】
明らかに、小さな流量のずれの方が、大きな流量のずれよりも好ましいと考えられる。
【００５７】
実際には、負の流量のずれを生じる制御命令が、正の流量のずれを伴う制御命令よりも好ましいということがわかっている。
【００５８】
前記アルゴリズムは、その制御命令に、前記流量のずれに等しい追加点数を与えることによって、これらのデータを考慮する。このとき、前記点数には、前記差が正の場合にこの差が負の場合よりも絶対値が大きい負の重み係数がかけられる。
【００５９】
本発明独自の特徴により、制御命令を選択するとき、制御ボックス28が、すべての圧縮機が同程度に摩耗しなければならないということを、考慮するようにすることができる。
【００６０】
これは、負の重み係数がかけられた、当該圧縮機2、3、4の動作時間数に等しい値を制御命令の点数に加えることによって達成される。
【００６１】
たとえば、動作時間数の大きな圧縮機は、アルゴリズムにより、動作時間数の小さな圧縮機2、3、4よりも減点されることになる。
【００６２】
同様にして、圧縮機2、3、4の選択に関して、制御ボックス28にある程度の優先権を与えることができる。このとき、大きな追加優先値が優先権を有する圧縮機に与えられる。この優先値は必要な優先権が大きいほど大きくなる。
【００６３】
また、各圧縮機に始動優先権を与えることにより、圧縮機2、3、4の始動時に強制的優先権を与えることができる。この場合、優先値が、負の重み係数をかけたあと、制御命令の前記点数に加えられる。
【００６４】
たとえば、最高優先権を有する始動優先順位1の圧縮機は、低い始動優先順位3の圧縮機よりも絶対値の小さな負の点数が与えられる。
【００６５】
明らかに、この場合、前記のものと異なる基準と優先権とを制御ボックス28に与えることもできる。また、明らかに、たとえば、制御ボックス28にクロックを内蔵させて、圧縮空気装置1の制御時に、動作時間数、週末、その他を考慮するようにすることもできる。
【００６６】
前記の基準と優先権とは、前記の各点数を合計して、アルゴリズムがたとえば摩耗基準と同様に出力基準をも考慮するようにすることによって組み合わせることもできる。このとき、それぞれの基準に付与される重要性は重み係数によって決定される。
【００６７】
この場合、使用者が必要に応じて制御ボックス28をプログラムすることができ、したがって、圧縮空気装置1の使用の利点を、非常に簡単かつ柔軟なやり方で引き出すことができる。
【００６８】
制御ボックスは、コンピュータ31を通じてプログラムすることができ、あるいはインターネットその他を通じて遠隔コンピュータによってプログラムすることができる。
【００６９】
当然のことながら、制御ボックス28自身がキーボードまたは画面を備えることもできる。その場合には、プログラミングを必ずしも独立のコンピュータ31によって実行する必要はない。
【００７０】
図５は、圧縮空気装置1の変形を示す。これは、可変速度タイプの圧縮機4も制御可能な入口弁34と大気に開いた自由排気管36を有する制御可能な排気弁35とを備えているという点が異なる。この入口弁34と排気弁35は、制御要素26に接続されている。
【００７１】
当然のことながら、これらの追加制御ユニット34、35は制御ボックス28で制御することができ、圧縮機2、3、4の流量を調節することによって、圧縮空気ネットワーク8内の圧力を、さらに精密に調節することができる。
【００７２】
図面においては、圧縮空気装置1は異なるタイプの三つの圧縮機2、3、4を備えているが、複数の圧縮機を備えた圧縮空気装置において、一つまたは二つのタイプの圧縮機のみが使用されることも排除されない。
【００７３】
また、使用できる圧縮機タイプであれば、三つよりも多くの圧縮機を任意の組合せで使用することも排除されない。
【００７４】
また、前記タイプの圧縮機を、部分負荷タイプ圧縮機の、調節される入口または出口を有するタイプの圧縮機と、任意の組合せで使用することも排除されない。
【００７５】
また、圧縮機は、必ずしもすべての前記制御ユニット(11、12、15、19、20、22、26、34、35)を備えている必要はなく、また当然のことながら、制御ボックス28によって操作できるかまたは操作できない追加の制御ユニットを備えることもできる。
【００７６】
図面には単一段の圧縮機しか示していないが、互いに直列または並列に接続された複数の圧縮機要素とともに複数段の圧縮機を使用することもできる。
【００７７】
明らかに、本発明は空気以外の気体を圧縮するのに使用される他の圧縮機装置に使用することもできる。
【００７８】
本発明は、例として述べた前記方法、制御ボックス、および圧縮空気装置のみに限定されるものではない。逆に、前記方法、制御ボックス、および圧縮空気装置には、本発明の範囲を逸脱することなく、いくつかの変形を加えることができる。
【図面の簡単な説明】
【００７９】
【図１】本発明の方法の使用が可能な、複数の圧縮機を備えた圧縮空気装置を模式的に示す図である。
【図２】図１に３で示す圧縮機の動作曲線を示す図である。
【図３】図１に４で示す圧縮機の動作曲線を示す図である。
【図４】圧力の変化を時間の関数として示すグラフである。
【図５】図１の実施形態の変形を示す図である。
【符号の説明】
【００８０】
1  圧縮空気装置
2  第一の圧縮機
3  第二の圧縮機
4  第三の圧縮機
5  出口
6  出口
7  出口
8  圧縮空気ネットワーク
9  圧縮機要素
10  電動機
11  入口弁、制御ユニット
12  排気弁、制御ユニット
13  出口
14  導線
15  制御要素、制御ユニット
16  信号
17  圧縮機要素
18  電動機
19  入口弁、制御ユニット
20  排気弁、制御ユニット
21  自由出口
22  制御要素、制御ユニット
23  測定信号
24  圧縮機要素
25  電動機
26  制御要素、制御ユニット
27  測定信号
28  制御ボックス
29  メモリ
30  演算装置
31  コンピュータ
32  圧力センサー
33  接続
34  入口弁、制御ユニット
35  排気弁、制御ユニット
36  自由排気管
Pmax  最大圧力
Pmin  最小圧力
PS  目標圧力
Q  流量
SE  消費率
T  時間
【図１】
0004468944.tif 000002
【図２】
0004468944.tif 000003
【図３】
0004468944.tif 000004
【図４】
0004468944.tif 000005
【図５】
0004468944.tif 000006